(57)【要約】【課題】携帯端末によって取得される原稿のページ単位の画像データ各々をページ順に従って出力することが可能な画像処理システム、画像処理装置、及び画像処理方法を提供すること。【解決手段】画像処理システム１００は、撮像部１４を用いて原稿のページ各々の画像データを取得する第１取得処理部１１１と、第１取得処理部１１１によって取得された前記原稿のページ単位の画像データ各々を画像形成装置２０に送信する送信処理部１１６と、携帯端末１０から送信される前記原稿のページ単位の画像データ各々を受信する受信処理部２１１と、前記原稿のページ単位の画像データ各々に基づいて前記原稿のページ単位の画像データ各々のページ順序を判定する判定処理部２１６と、前記原稿のページ単位の画像データ各々をページ順序に従って出力する出力処理部２１７と、を備える。【選択図】図１
2017199103.tif 000002
【特許請求の範囲】
【請求項１】
携帯端末と画像処理装置とを含む画像処理システムであって、
前記携帯端末は、
撮像部と、
前記撮像部を用いて複数ページを有する原稿のページ各々の画像データを取得するデータ取得部と、
前記データ取得部によって取得された前記原稿のページ単位の画像データ各々を送信する送信処理部と、を備え、
前記画像処理装置は、
前記携帯端末から送信される前記原稿のページ単位の画像データ各々を受信する受信処理部と、
前記受信処理部によって受信された前記原稿のページ単位の画像データ各々に基づいて前記原稿のページ単位の画像データ各々のページ順序を判定する判定処理部と、
前記受信処理部によって受信された前記原稿のページ単位の画像データ各々を前記判定処理部によって判定されたページ順序に従って出力する出力処理部と、を備える画像処理システム。
【請求項２】
前記判定処理部は、前記受信処理部によって受信された前記原稿のページ単位の画像データ各々から検出されるページ情報に基づいて前記原稿のページ単位の画像データ各々のページ順序を判定する請求項１に記載の画像処理システム。
【請求項３】
前記データ取得部は、予め定められた取得操作が行われるごとに、前記撮像部を用いて被写体の画像データを取得する第１取得処理部と、前記第１取得処理部によって取得された被写体の画像データから前記原稿のページ単位の画像データを抽出する抽出処理部と、を含む請求項１又は２に記載の画像処理システム。
【請求項４】
前記データ取得部は、被写体が前記原稿のページ単位の画像を含むか否かを判断する判断処理部と、前記判断処理部によって被写体が前記原稿のページ単位の画像を含むと判断されるごとに、前記撮像部を用いて被写体の画像データを取得する第２取得処理部と、を含む請求項１〜３のいずれかに記載の画像処理システム。
【請求項５】
前記画像処理装置は、
前記受信処理部によって受信された前記原稿のページ単位の画像データ各々における予め定められた異常を検出する異常検出部と、
前記異常検出部によっていずれかの前記原稿のページ単位の画像データで前記異常が検出された場合に、前記携帯端末に前記異常が検出された旨を報知させると共に、前記携帯端末に前記異常が検出された前記原稿のページ単位の画像データを表示させる報知処理部と、を更に備える請求項１〜４のいずれかに記載の画像処理システム。
【請求項６】
前記携帯端末は、前記データ取得部によって前記原稿のページ各々の画像データが取得される場合における被写体との間の距離を検出する距離検出部を更に備え、
前記送信処理部は、前記データ取得部によって取得された前記原稿のページ単位の画像データ各々と共に前記距離検出部によって検出された被写体との間の距離を示す距離情報を送信し、
前記画像処理装置は、前記受信処理部によって受信された前記原稿のページ単位の画像データ各々及び前記距離情報に基づいて前記原稿のサイズを検出するサイズ検出部を更に備え、
前記出力処理部は、前記原稿のページ単位の画像データ各々を前記サイズ検出部によって検出された前記原稿のサイズと同じサイズのシートにページ順序に従って印刷する請求項１〜５のいずれかに記載の画像処理システム。
【請求項７】
撮像部を備える携帯端末から送信される前記撮像部を用いて取得された複数ページを有する原稿のページ単位の画像データ各々を受信する受信処理部と、
前記受信処理部によって受信された前記原稿のページ単位の画像データ各々に基づいて前記原稿のページ単位の画像データ各々のページ順序を判定する判定処理部と、
前記受信処理部によって受信された前記原稿のページ単位の画像データ各々を前記判定処理部によって判定されたページ順序に従って出力する出力処理部と、
を備える画像処理装置。
【請求項８】
撮像部を備える携帯端末と、画像処理装置とを含む画像処理システムで実行される画像処理方法であって、
前記撮像部を用いて複数ページを有する原稿のページ各々の画像データを取得する取得ステップと、
前記取得ステップによって取得された前記原稿のページ単位の画像データ各々を前記画像処理装置に送信する送信ステップと、
前記携帯端末から送信される前記原稿のページ単位の画像データ各々を前記画像処理装置で受信する受信ステップと、
前記受信ステップによって受信された前記原稿のページ単位の画像データ各々に基づいて前記原稿のページ単位の画像データ各々のページ順序を判定する判定ステップと、
前記受信ステップによって受信された前記原稿のページ単位の画像データ各々を前記判定ステップによって判定されたページ順序に従って出力する出力ステップと、
を含む画像処理方法。
【発明の詳細な説明】
【技術分野】
【０００１】
本発明は、携帯端末及び画像処理装置を含む画像処理システム、及び画像処理方法に関する。
【背景技術】
【０００２】
一般に、カメラのような撮像部を有するスマートフォンなどの携帯端末と、プリンターなどの画像処理装置とを含む画像処理システムが知られている（例えば、特許文献１参照）。この種の画像処理システムでは、携帯端末の撮像部によって原稿の画像データが取得されて、取得された原稿の画像データが画像処理装置に送信される。画像処理装置では、携帯端末から送信された原稿の画像データが印刷されて出力される。
【先行技術文献】
【特許文献】
【０００３】
【特許文献１】特開２００６−１３７９２号公報
【発明の概要】
【発明が解決しようとする課題】
【０００４】
ところで、画像処理システムでは、携帯端末の撮像部によって複数ページを有する原稿のページ各々の画像データが取得されて、取得されたページ単位の画像データ各々が画像処理装置に順次送信されることがある。この場合、従来の画像処理システムにおける画像処理装置では、受信されたページ単位の画像データ各々が受信順に従って出力される。そのため、従来の画像処理システムであっても、携帯端末から原稿のページ単位の画像データ各々がページ順に従って送信される場合には、画像処理装置で原稿のページ単位の画像データ各々をページ順に従って出力することは可能である。しかしながら、従来の画像処理システムでは、携帯端末から原稿のページ単位の画像データ各々がページ順に従わずに送信される場合に、画像処理装置で原稿のページ単位の画像データ各々をページ順に従って出力することはできない。
【０００５】
本発明の目的は、携帯端末によって取得される原稿のページ単位の画像データ各々をページ順に従って出力することが可能な画像処理システム、画像処理装置、及び画像処理方法を提供することにある。
【課題を解決するための手段】
【０００６】
本発明の一の局面に係る画像処理システムは、携帯端末と、画像処理装置とを含む。前記携帯端末は、撮像部と、データ取得部と、送信処理部とを備える。前記データ取得部は、前記撮像部を用いて複数ページを有する原稿のページ各々の画像データを取得する。前記送信処理部は、前記データ取得部によって取得された前記原稿のページ単位の画像データ各々を送信する。前記画像処理装置は、受信処理部と、判定処理部と、出力処理部とを備える。前記受信処理部は、前記携帯端末から送信される前記原稿のページ単位の画像データ各々を受信する。前記判定処理部は、前記受信処理部によって受信された前記原稿のページ単位の画像データ各々に基づいて前記原稿のページ単位の画像データ各々のページ順序を判定する。前記出力処理部は、前記受信処理部によって受信された前記原稿のページ単位の画像データ各々を前記判定処理部によって判定されたページ順序に従って出力する。
【０００７】
本発明の他の局面に係る画像処理装置は、受信処理部と、判定処理部と、出力処理部とを備える。前記受信処理部は、撮像部を備える携帯端末から送信される前記撮像部を用いて取得された複数ページを有する原稿のページ単位の画像データ各々を受信する。前記判定処理部は、前記受信処理部によって受信された前記原稿のページ単位の画像データ各々に基づいて前記原稿のページ単位の画像データ各々のページ順序を判定する。前記出力処理部は、前記受信処理部によって受信された前記原稿のページ単位の画像データ各々を前記判定処理部によって判定されたページ順序に従って出力する。
【０００８】
本発明の他の局面に係る画像処理方法は、撮像部を備える携帯端末と、画像処理装置とを含む画像処理システムで実行され、以下の取得ステップ、送信ステップ、受信ステップ、判定ステップ、及び出力ステップを含む。前記取得ステップでは、前記撮像部を用いて複数ページを有する原稿のページ各々の画像データが取得される。前記送信ステップでは、前記取得ステップによって取得された前記原稿のページ単位の画像データ各々が前記画像処理装置に送信される。前記受信ステップでは、前記携帯端末から送信される前記原稿のページ単位の画像データ各々が前記画像処理装置で受信される。前記判定ステップでは、前記受信ステップによって受信された前記原稿のページ単位の画像データ各々に基づいて前記原稿のページ単位の画像データ各々のページ順序が判定される。前記出力ステップでは、前記受信ステップによって受信された前記原稿のページ単位の画像データ各々が前記判定ステップによって判定されたページ順序に従って出力される。
【発明の効果】
【０００９】
本発明によれば、携帯端末によって取得される原稿のページ単位の画像データ各々をページ順に従って出力することが可能となる。
【図面の簡単な説明】
【００１０】
【図１】図１は、本発明の実施形態に係る画像処理システムの構成を示す図である。
【図２】図２は、本発明の実施形態に係る画像処理システムの画像形成装置の構成を示す図である。
【図３】図３は、本発明の実施形態に係る携帯端末で実行される第１取得処理の一例を示すフローチャートである。
【図４】図４は、本発明の実施形態に係る携帯端末で実行される第２取得処理の一例を示すフローチャートである。
【図５】図５は、本発明の実施形態に係る画像形成装置で実行されるデータ出力処理の一例を示すフローチャートである。
【発明を実施するための形態】
【００１１】
以下、添付図面を参照しながら、本発明の実施形態について説明する。なお、以下の実施形態は、本発明を具体化した一例であって、本発明の技術的範囲を限定するものではない。
【００１２】
［画像処理システム１００］
本発明の実施形態に係る画像処理システム１００は、図１に示されるように、携帯端末１０と、画像形成装置２０とを備える。画像処理システム１００では、携帯端末１０及び画像形成装置２０の間で無線によるデータ通信が実行される。
【００１３】
［携帯端末１０］
携帯端末１０は、画像形成装置２０のユーザーなどによって持ち運ばれるスマートフォンなどの移動通信端末である。具体的に、携帯端末１０は、図１に示されるように、制御部１１、操作表示部１２、通信部１３、撮像部１４、距離センサー１５、及び記憶部１６を備える。なお、携帯端末１０は、携帯電話、タブレット端末、ノートパソコン、又はＰＤＡなどであってもよい。
【００１４】
制御部１１は、不図示のＣＰＵ、ＲＯＭ、ＲＡＭ、及びＥＥＰＲＯＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶媒体である。前記ＲＡＭは揮発性の記憶媒体であり、前記ＥＥＰＲＯＭは不揮発性の記憶媒体である。前記ＲＡＭ及び前記ＥＥＰＲＯＭは、前記ＣＰＵが実行する各種の処理の一時記憶メモリー（作業領域）として使用される。制御部１１では、前記ＣＰＵにより前記ＲＯＭに予め記憶された各種の制御プログラムが実行される。これにより、携帯端末１０が制御部１１により統括的に制御される。なお、制御部１１は、集積回路（ＡＳＩＣ）などの電子回路で構成されたものであってもよく、携帯端末１０を統括的に制御するメイン制御部とは別に設けられた制御部であってもよい。
【００１５】
操作表示部１２は、制御部１１からの制御指示に応じて各種の情報を表示する液晶ディスプレーなどの表示部、及びユーザーの操作に応じて制御部１１に各種の情報を入力するタッチパネルなどの操作部を有する。
【００１６】
通信部１３は、画像形成装置２０などの外部の通信機器との間で、無線によるデータ通信を実行可能な通信インターフェイスである。例えば、通信部１３は、前記通信機器との間でＷｉ―Ｆｉダイレクト（登録商標）などの無線ＬＡＮの通信規格に従った無線通信を実行することが可能である。なお、通信部１３は、前記通信機器との間でＢｌｕｅｔｏｏｔｈ（登録商標）の通信規格に従った無線通信を実行してもよい。
【００１７】
撮像部１４は、被写体を撮影可能なカメラである。具体的に、撮像部１４は、外部から受光される光に基づく電気信号（画像データ）を出力することが可能である。
【００１８】
距離センサー１５は、撮像部１４と被写体との間の距離を検出する。例えば、距離センサー１５は発光部と受光部とを備える赤外線センサーである。例えば、距離センサー１５は、前記発光部から射出されて被写体で反射された赤外線の前記受光部における受光量に基づいて、撮像部１４と被写体との間の距離を検出する。なお、距離センサー１５は、赤外線以外の光を用いたセンサーであってもよい。また、距離センサー１５は、音波を用いたセンサーであってもよい。
【００１９】
記憶部１６は、フラッシュメモリー等の不揮発性の記憶媒体である。記憶部１６では、制御部１１によるデータの読み書きが行われる。
【００２０】
［画像形成装置２０］
画像形成装置２０は、画像データに基づいて画像を形成することが可能なプリンターである。具体的に、画像形成装置２０は、図１及び図２に示されるように、制御部２１、画像形成部２２、給紙部２３、操作表示部２４、通信部２５、及び記憶部２６を備える。なお、画像形成装置２０は、ファクシミリ装置、コピー機、又は複合機などであってもよい。ここに、画像形成装置２０が、本発明における画像処理装置の一例である。
【００２１】
制御部２１は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶媒体である。前記ＲＡＭは揮発性の記憶媒体であり、前記ＥＥＰＲＯＭは不揮発性の記憶媒体である。前記ＲＡＭ及び前記ＥＥＰＲＯＭは、前記ＣＰＵが実行する各種の処理の一時記憶メモリー（作業領域）として使用される。制御部２１では、前記ＣＰＵにより前記ＲＯＭに予め記憶された各種の制御プログラムが実行される。これにより、画像形成装置２０が制御部２１により統括的に制御される。なお、制御部２１は、集積回路（ＡＳＩＣ）などの電子回路で構成されたものであってもよく、画像形成装置２０を統括的に制御するメイン制御部とは別に設けられた制御部であってもよい。
【００２２】
画像形成部２２は、外部のパーソナルコンピューター等の情報処理装置から入力された画像データに基づいて、電子写真方式でカラー又はモノクロの画像を形成する画像形成処理（印刷処理）を実行することが可能である。具体的に、画像形成部２２は、図２に示されるように、Ｃ（シアン）、Ｍ（マゼンタ）、Ｙ（イエロー）、及びＫ（ブラック）に対応する複数の画像形成ユニット、光走査装置（ＬＳＵ）、中間転写ベルト、二次転写ローラー、定着装置、及び排紙トレイを備える。そして、画像形成部２２では、給紙部２３から供給されるシートにカラー又はモノクロの画像が形成されて、画像形成後のシートが前記排紙トレイに排出される。
【００２３】
操作表示部２４は、制御部２１からの制御指示に応じて各種の情報を表示する液晶ディスプレーなどの表示部、及びユーザーの操作に応じて制御部２１に各種の情報を入力するタッチパネルなどの操作部を有する。
【００２４】
通信部２５は、携帯端末１０などの外部の通信機器との間で、無線によるデータ通信を実行可能な通信インターフェイスである。例えば、通信部２５は、前記通信機器との間でＷｉ―Ｆｉダイレクト（登録商標）などの無線ＬＡＮの通信規格に従った無線通信を実行することが可能である。なお、通信部２５は、前記通信機器との間でＢｌｕｅｔｏｏｔｈ（登録商標）の通信規格に従った無線通信を実行してもよい。
【００２５】
記憶部２６は、ソリッドステートドライブ（ＳＳＤ）又はハードディスクドライブ（ＨＤＤ）などの記憶媒体である。記憶部２６では、制御部２１によるデータの読み書きが行われる。
【００２６】
ところで、画像処理システム１００では、携帯端末１０の撮像部１４によって複数ページを有する原稿のページ各々の画像データが取得されて、取得された前記原稿のページ単位の画像データ各々が画像形成装置２０に順次送信されることがある。この場合、従来の画像処理システムにおける画像形成装置２０では、受信されたページ単位の画像データ各々が受信順に従って出力される。そのため、従来の画像処理システムであっても、携帯端末１０から前記原稿のページ単位の画像データ各々がページ順に従って送信される場合には、画像形成装置２０で前記原稿のページ単位の画像データ各々をページ順に従って出力することは可能である。しかしながら、従来の画像処理システムでは、携帯端末１０から前記原稿のページ単位の画像データ各々がページ順に従わずに送信される場合に、画像形成装置２０で前記原稿のページ単位の画像データ各々をページ順に従って出力することはできない。
【００２７】
これに対し、本発明の実施形態に係る画像処理システム１００では、以下に説明するように、携帯端末１０によって取得される前記原稿のページ単位の画像データ各々をページ順に従って出力することが可能である。
【００２８】
具体的に、携帯端末１０の記憶部１６には、制御部１１の前記ＣＰＵに後述の第１取得処理（図３のフローチャート参照）、及び第２取得処理（図４のフローチャート参照）を実行させるためのデータ取得プログラムが予め記憶されている。例えば、前記データ取得プログラムは、インターネットなどの不図示の通信網を介して接続される外部の情報処理装置から取得されて、記憶部１６にインストールされる。
【００２９】
そして、制御部１１は、図１に示されるように、第１取得処理部１１１、抽出処理部１１２、判断処理部１１３、第２取得処理部１１４、距離検出部１１５、及び送信処理部１１６を含む。具体的に、制御部１１は、前記ＣＰＵを用いて記憶部１６に記憶されている前記データ取得プログラムを実行する。これにより、制御部１１は、第１取得処理部１１１、抽出処理部１１２、判断処理部１１３、第２取得処理部１１４、距離検出部１１５、及び送信処理部１１６として機能する。
【００３０】
第１取得処理部１１１は、予め定められた取得操作が行われるごとに、撮像部１４を用いて被写体の画像データを取得する。例えば、前記取得操作は、操作表示部１２に対する予め定められた操作である。
【００３１】
例えば、第１取得処理部１１１は、撮像部１４に被写体の画像データを出力させると共に、撮像部１４から出力される被写体の画像データを操作表示部１２に表示させる。そして、第１取得処理部１１１は、前記取得操作が行われるごとに、前記取得操作時に操作表示部１２に表示されている被写体の画像データ（静止画データ）を取得する。
【００３２】
抽出処理部１１２は、第１取得処理部１１１によって取得された被写体の画像データから前記原稿のページ単位の画像データを抽出する。
【００３３】
例えば、抽出処理部１１２は、第１取得処理部１１１によって取得された被写体の画像データに対して、画像の輪郭を検出する輪郭検出処理を実行する。次に、抽出処理部１１２は、前記輪郭検出処理の実行結果に基づいて、被写体の画像データに含まれる矩形状の領域を検出する。そして、抽出処理部１１２は、検出された矩形状の領域各々を前記原稿のページ単位の画像データとして抽出する。ここに、第１取得処理部１１１及び抽出処理部１１２が、本発明におけるデータ取得部の一例である。なお、本発明におけるデータ取得部は、第１取得処理部１１１のみであってもよい。
【００３４】
判断処理部１１３は、被写体が前記原稿のページ単位の画像を含むか否かを判断する。
【００３５】
例えば、判断処理部１１３は、撮像部１４に被写体の画像データを出力させると共に、撮像部１４から出力される被写体の画像データを操作表示部１２に表示させる。また、判断処理部１１３は、撮像部１４から出力された被写体の画像データに対して前記輪郭検出処理を実行する。そして、判断処理部１１３は、前記輪郭検出処理の実行結果に基づいて被写体の画像データに一つの矩形状の領域が含まれると判断された場合に、被写体が前記原稿のページ単位の画像を含むと判断する。
【００３６】
第２取得処理部１１４は、判断処理部１１３によって被写体が前記原稿のページ単位の画像を含むと判断されるごとに、撮像部１４を用いて被写体の画像データを取得する。
【００３７】
例えば、第２取得処理部１１４は、判断処理部１１３によって被写体が前記原稿のページ単位の画像を含むと判断されるごとに、判断処理部１１３による判断時に操作表示部１２に表示されている被写体の画像データ（静止画データ）を取得する。ここに、判断処理部１１３及び第２取得処理部１１４が、本発明におけるデータ取得部の他の一例である。
【００３８】
距離検出部１１５は、第１取得処理部１１１及び抽出処理部１１２によって前記原稿のページ各々の画像データが取得される場合における被写体との間の距離を検出する。また、距離検出部１１５は、判断処理部１１３及び第２取得処理部１１４によって前記原稿のページ各々の画像データが取得される場合における被写体との間の距離を検出する。
【００３９】
具体的に、距離検出部１１５は、距離センサー１５を用いて、第１取得処理部１１１による被写体の画像データの取得時における被写体との間の距離を検出する。また、距離検出部１１５は、距離センサー１５を用いて、第２取得処理部１１４による被写体の画像データの取得時における被写体との間の距離を検出する。例えば、距離検出部１１５は、第１取得処理部１１１又は第２取得処理部１１４による被写体の画像データの最初の取得時に、被写体との間の距離を検出する。なお、距離検出部１１５は、第１取得処理部１１１又は第２取得処理部１１４による被写体の画像データの取得時ごとに、被写体との間の距離を検出してもよい。
【００４０】
送信処理部１１６は、第１取得処理部１１１及び抽出処理部１１２によって取得された前記原稿のページ単位の画像データ各々を画像形成装置２０に送信する。また、送信処理部１１６は、判断処理部１１３及び第２取得処理部１１４によって取得された前記原稿のページ単位の画像データ各々を画像形成装置２０に送信する。
【００４１】
例えば、送信処理部１１６は、第１取得処理部１１１及び抽出処理部１１２によって取得された前記原稿のページ単位の画像データ各々と共に、距離検出部１１５によって取得された被写体との間の距離を示す距離情報を画像形成装置２０に送信する。また、送信処理部１１６は、判断処理部１１３及び第２取得処理部１１４によって取得された前記原稿のページ単位の画像データ各々と共に、距離検出部１１５によって取得された前記距離情報を画像形成装置２０に送信する。
【００４２】
また、画像形成装置２０の前記ＲＯＭには、制御部２１の前記ＣＰＵに後述のデータ出力処理（図５のフローチャート参照）を実行させるためのデータ出力プログラムが予め記憶されている。なお、前記データ出力プログラムは、ＣＤ、ＤＶＤ、フラッシュメモリーなどのコンピューター読み取り可能な記録媒体に記録されており、前記記録媒体から読み取られて記憶部２６又は前記ＥＥＰＲＯＭ等にインストールされてもよい。
【００４３】
そして、制御部２１は、図１に示されるように、受信処理部２１１、画像処理部２１２、異常検出部２１３、報知処理部２１４、サイズ検出部２１５、判定処理部２１６、及び出力処理部２１７を含む。具体的に、制御部２１は、前記ＣＰＵを用いて前記ＲＯＭに記憶されている前記データ出力プログラムを実行する。これにより、制御部２１は、受信処理部２１１、画像処理部２１２、異常検出部２１３、報知処理部２１４、サイズ検出部２１５、判定処理部２１６、及び出力処理部２１７として機能する。
【００４４】
受信処理部２１１は、携帯端末１０から送信される前記原稿のページ単位の画像データ各々を受信する。また、受信処理部２１１は、携帯端末１０から前記原稿のページ単位の画像データ各々と共に送信される前記距離情報を受信する。
【００４５】
画像処理部２１２は、受信処理部２１１によって受信された前記原稿のページ単位の画像データ各々に対して予め定められた画像処理を実行する。
【００４６】
例えば、前記画像処理には、前記原稿のページ単位の画像データ各々の明度のバラつきを補正する処理が含まれる。また、前記画像処理には、前記原稿のページ単位の画像データ各々に含まれる矩形状の領域（原稿領域）の形状の歪みを補正する処理が含まれる。また、前記画像処理には、前記原稿のページ単位の画像データ各々に含まれる前記原稿領域の傾きを補正する回転処理が含まれる。また、前記画像処理には、前記原稿のページ単位の画像データ各々に含まれる前記原稿領域の面積のバラつきを補正する拡大縮小処理が含まれる。また、前記画像処理には、前記原稿のページ単位の画像データ各々における画像の輪郭を強調する処理が含まれる。
【００４７】
異常検出部２１３は、受信処理部２１１によって受信された前記原稿のページ単位の画像データ各々における予め定められた異常を検出する。
【００４８】
例えば、前記異常には、前記原稿のページ単位の画像データに原稿領域の一部が含まれていない第１異常が含まれる。また、前記異常には、前記原稿のページ単位の画像データに含まれる画像がピントぼけしている第２異常が含まれる。
【００４９】
例えば、異常検出部２１３は、受信処理部２１１によって受信された前記原稿のページ単位の画像データ各々に対して前記輪郭検出処理を実行する。そして、異常検出部２１３は、前記輪郭検出処理の実行結果に基づいて前記原稿のページ単位の画像データに矩形状の領域が含まれていないと判断された場合に、前記第１異常を検出する。また、異常検出部２１３は、前記輪郭検出処理を実行しても前記原稿のページ単位の画像データから前記原稿領域の輪郭が検出されない場合に、前記第２異常を検出する。なお、異常検出部２１３は、受信処理部２１１によって受信された前記原稿のページ単位の画像データ各々に対して文字認識処理（ＯＣＲ処理）を実行して、前記原稿のページ単位の画像データから文字が検出されない場合に、前記第２異常を検出してもよい。
【００５０】
報知処理部２１４は、異常検出部２１３によっていずれかの前記原稿のページ単位の画像データで前記異常が検出された場合に、携帯端末１０に前記異常が検出された旨を報知させると共に、携帯端末１０に前記異常が検出された前記原稿のページ単位の画像データを表示させる。
【００５１】
例えば、報知処理部２１４は、異常検出部２１３によって検出された前記異常の種類を示す異常検出情報、前記異常が検出された前記原稿のページ単位の画像データ、並びに前記異常検出情報及び前記原稿のページ単位の画像データの操作表示部１２への表示を指示する制御信号を携帯端末１０に送信する。
【００５２】
サイズ検出部２１５は、受信処理部２１１によって受信された前記原稿のページ単位の画像データ各々及び前記距離情報に基づいて、前記原稿のサイズを検出する。具体的に、サイズ検出部２１５は、前記原稿のページ単位の画像データに含まれる前記原稿領域の面積及び前記距離情報に基づいて、前記原稿のサイズを検出する。
【００５３】
判定処理部２１６は、受信処理部２１１によって受信された前記原稿のページ単位の画像データ各々に基づいて、前記原稿のページ単位の画像データ各々のページ順序を判定する。
【００５４】
例えば、判定処理部２１６は、受信処理部２１１によって受信された前記原稿のページ単位の画像データ各々から検出されるページ情報に基づいて、前記原稿のページ単位の画像データ各々のページ順序を判定する。例えば、前記ページ情報はページ番号である。例えば、判定処理部２１６は、受信処理部２１１によって受信された前記原稿のページ単位の画像データ各々に対して文字認識処理（ＯＣＲ処理）を実行する。そして、判定処理部２１６は、前記文字認識処理の実行結果に基づいて、前記原稿のページ単位の画像データ各々からページ番号を検出する。
【００５５】
なお、判定処理部２１６は、受信処理部２１１によって受信された前記原稿のページ単位の画像データ各々に含まれる先頭行及び末尾行の文脈の整合性の有無に基づいて、前記原稿のページ単位の画像データ各々のページ順序を判定してもよい。
【００５６】
出力処理部２１７は、受信処理部２１１によって受信された前記原稿のページ単位の画像データ各々を、判定処理部２１６によって判定されたページ順序に従って出力する。
【００５７】
例えば、出力処理部２１７は、受信処理部２１１によって受信された前記原稿のページ単位の画像データ各々を、判定処理部２１６によって判定されたページ順序に従って印刷する。ここで、出力処理部２１７は、受信処理部２１１によって受信された前記原稿のページ単位の画像データ各々を、サイズ検出部２１５によって検出された前記原稿のサイズと同じサイズのシートに印刷する。
【００５８】
また、出力処理部２１７は、受信処理部２１１によって受信された前記原稿のページ単位の画像データ各々が判定処理部２１６によって判定されたページ順序に従って配置されたＰＤＦなどの文書データを生成して、生成された前記文書データを記憶部２６に格納してもよい。また、出力処理部２１７は、前記文書データを生成して、生成された前記文書データを携帯端末１０などの外部の情報処理装置に送信してもよい。
【００５９】
［第１取得処理］
以下、図３を参照しつつ、携帯端末１０において制御部１１により実行される第１取得処理の手順の一例と共に、本発明における画像処理方法の手順の一部について説明する。ここで、ステップＳ１１、Ｓ１２・・・は、制御部１１により実行される処理手順（ステップ）の番号を表している。なお、前記第１取得処理は、操作表示部１２において前記第１取得処理の実行を指示するユーザー操作が行われた場合に実行される。
【００６０】
＜ステップＳ１１＞
まず、ステップＳ１１において、制御部１１は、撮像部１４に被写体の画像データを出力させると共に、撮像部１４から出力される被写体の画像データを操作表示部１２に表示させる。
【００６１】
＜ステップＳ１２＞
ステップＳ１２において、制御部１１は、前記取得操作が行われたか否かを判断する。
【００６２】
ここで、制御部１１は、前記取得操作が行われたと判断すると（Ｓ１２のＹｅｓ側）、処理をステップＳ１３に移行させる。また、前記取得操作が行われていなければ（Ｓ１２のＮｏ側）、制御部１１は、処理をステップＳ１６に移行させる。
【００６３】
＜ステップＳ１３＞
ステップＳ１３において、制御部１１は、ステップＳ１２で前記取得操作が行われたと判断された時に操作表示部１２に表示されていた被写体の画像データ（静止画データ）を取得する。
【００６４】
＜ステップＳ１４＞
ステップＳ１４において、制御部１１は、距離センサー１５を用いて、ステップＳ１３による被写体の画像データの取得時における被写体との間の距離を検出する。ここで、ステップＳ１４の処理は、制御部１１の距離検出部１１５により実行される。なお、ステップＳ１４の処理は省略されてもよい。
【００６５】
＜ステップＳ１５＞
ステップＳ１５において、制御部１１は、ステップＳ１３によって取得された被写体の画像データから前記原稿のページ単位の画像データを抽出する。ここに、ステップＳ１１、ステップＳ１２、ステップＳ１３、及びステップＳ１５の処理が、本発明における取得ステップの一例である。なお、ステップＳ１１、ステップＳ１２、及びステップＳ１３の処理は、制御部１１の第１取得処理部１１１により実行される。また、ステップＳ１５の処理は、制御部１１の抽出処理部１１２により実行される。
【００６６】
例えば、制御部１１は、ステップＳ１３によって取得された被写体の画像データに対して、前記輪郭検出処理を実行する。次に、制御部１１は、前記輪郭検出処理の実行結果に基づいて、被写体の画像データに含まれる矩形状の領域を検出する。そして、制御部１１は、検出された矩形状の領域各々を前記原稿のページ単位の画像データとして抽出する。
【００６７】
これにより、撮像部１４により前記原稿の複数ページの画像が一度に撮影される場合であっても、撮像部１４により取得される画像データから前記原稿のページ単位の画像データ各々が抽出される。従って、携帯端末１０において前記原稿のページ各々の画像データが取得される際のユーザーの前記取得操作の手間が軽減される。
【００６８】
なお、ステップＳ１５の処理は省略されるものであってもよい。即ち、前記第１取得処理において、前記原稿のページごとにユーザーによる前記取得操作が行われてもよい。
【００６９】
＜ステップＳ１６＞
ステップＳ１６において、制御部１１は、前記原稿のページ各々の撮影が終了したか否かを判断する。例えば、制御部１１は、前記原稿のページ各々の撮影の終了を指示するユーザー操作が行われた場合に、前記原稿のページ各々の撮影が終了したと判断する。
【００７０】
ここで、制御部１１は、前記原稿のページ各々の撮影が終了したと判断すると（Ｓ１６のＹｅｓ側）、処理をステップＳ１７に移行させる。また、前記原稿のページ各々の撮影が終了していなければ（Ｓ１６のＮｏ側）、制御部１１は、処理をステップＳ１２に移行させる。これにより、前記原稿のページ各々の撮影が終了するまでの間、前記取得操作に応じてステップＳ１３〜ステップＳ１５の処理が繰り返し実行される。なお、ステップＳ１４の処理は、２回目以降は省略されてよい。
【００７１】
＜ステップＳ１７＞
ステップＳ１７において、制御部１１は、ステップＳ１５で抽出された前記原稿のページ単位の画像データ各々を画像形成装置２０に送信する。ここに、ステップＳ１７の処理が、本発明における送信ステップの一例であって、制御部１１の送信処理部１１６により実行される。
【００７２】
例えば、制御部１１は、ステップＳ１５で抽出された前記原稿のページ単位の画像データ各々と共に、ステップＳ１４によって取得された被写体との間の距離を示す前記距離情報を画像形成装置２０に送信する。
【００７３】
なお、ステップＳ１７の処理は、ステップＳ１５の後であって、ステップＳ１６の前に実行されてもよい。即ち、ステップＳ１７の処理は、前記取得操作に応じて前記原稿のページ単位の画像データが取得される度に実行されてもよい。この場合、制御部１１は、ステップＳ１６で前記原稿のページ各々の撮影が終了したと判断された場合に、前記原稿のページ各々の撮影の終了を示す撮影終了情報を画像形成装置２０に送信する。
【００７４】
［第２取得処理］
次に、図４を参照しつつ、携帯端末１０において制御部１１により実行される第２取得処理の手順の一例と共に、本発明における画像処理方法の手順の一部について説明する。なお、前記第２取得処理は、操作表示部１２において前記第２取得処理の実行を指示するユーザー操作が行われた場合に実行される。
【００７５】
ここで、前記第２取得処理の内容は、ステップＳ１２及びステップＳ１３の処理に替えて、ステップＳ２１及びステップＳ２２の処理が実行される点、及びステップＳ１５の処理が省略される点を除いて、前記第１取得処理の内容とほぼ同一である。そのため、以下の説明では、前記第１取得処理と異なる部分についてのみ説明を行う。
【００７６】
＜ステップＳ２１＞
ステップＳ２１において、制御部１１は、撮像部１４から出力される被写体の画像データが前記原稿のページ単位の画像を含むか否かを判断する。
【００７７】
例えば、制御部１１は、撮像部１４から出力された被写体の画像データに対して前記輪郭検出処理を実行する。そして、制御部１１は、前記輪郭検出処理の実行結果に基づいて被写体の画像データに一つの矩形状の領域が含まれると判断された場合に、撮像部１４から出力される被写体の画像データが前記原稿のページ単位の画像を含むと判断する。
【００７８】
ここで、制御部１１は、撮像部１４から出力される被写体の画像データが前記原稿のページ単位の画像を含むと判断すると（Ｓ２１のＹｅｓ側）、処理をステップＳ２２に移行させる。また、撮像部１４から出力される被写体の画像データが前記原稿のページ単位の画像を含んでいなければ（Ｓ２１のＮｏ側）、制御部１１は、処理をステップＳ１６に移行させる。
【００７９】
＜ステップＳ２２＞
ステップＳ２２において、制御部１１は、ステップＳ２１で撮像部１４から出力される被写体の画像データが前記原稿のページ単位の画像を含むと判断された時に操作表示部１２に表示されていた被写体の画像データ（静止画データ）を取得する。ここに、ステップＳ１１、ステップＳ２１、及びステップＳ２２の処理が、本発明における取得ステップの他の一例である。なお、ステップＳ１１、及びステップＳ２１の処理は、制御部１１の判断処理部１１３により実行される。また、ステップＳ２２の処理は、制御部１１の第２取得処理部１１４により実行される。
【００８０】
これにより、ステップＳ２１で撮像部１４から出力される被写体の画像データが前記原稿のページ単位の画像を含むと判断されるごとに、前記原稿のページ単位の画像データが自動的に取得される。従って、携帯端末１０において前記原稿のページ各々の画像データが取得される際のユーザーの前記取得操作の手間が軽減される。なお、ステップＳ２２で取得された前記原稿のページ単位の画像データ各々は、ステップＳ１７で画像形成装置２０に送信される。
【００８１】
なお、前記第２取得処理において、ステップＳ１４の処理の後に前記第１取得処理のステップＳ１５の処理が実行されてもよい。即ち、ステップＳ２１で撮像部１４から出力される被写体の画像データが前記原稿のページ単位の画像を一又は複数含むか否かが判断されて、ステップＳ２２で前記原稿のページ単位の画像を一又は複数含む画像データが取得されてもよい。
【００８２】
［データ出力処理］
次に、図５を参照しつつ、画像形成装置２０において制御部２１により実行されるデータ出力処理の手順の一例と共に、本発明における画像処理方法の手順の一例の残部について説明する。なお、前記データ出力処理は、操作表示部２４において前記データ出力処理の実行を指示するユーザー操作が行われた場合に実行される。
【００８３】
＜ステップＳ３１＞
まず、ステップＳ３１において、制御部２１は、携帯端末１０から前記原稿のページ単位の画像データ各々、及び前記距離情報を受信したか否かを判断する。ここに、ステップＳ３１の処理が、本発明における受信ステップの一例であって、制御部２１の受信処理部２１１により実行される。
【００８４】
ここで、制御部２１は、携帯端末１０から前記原稿のページ単位の画像データ各々、及び前記距離情報を受信したと判断すると（Ｓ３１のＹｅｓ側）、処理をステップＳ３２に移行させる。また、携帯端末１０から前記原稿のページ単位の画像データ各々、及び前記距離情報を受信していなければ（Ｓ３１のＮｏ側）、制御部２１は、ステップＳ３１で携帯端末１０からの前記原稿のページ単位の画像データ各々、及び前記距離情報の受信を待ち受ける。
【００８５】
なお、携帯端末１０において前記取得操作に応じて前記原稿のページ単位の画像データが取得される度に取得された画像データが送信される場合、制御部２１は、ステップＳ３１で、前記撮影終了情報を受信するまでの間、携帯端末１０からの前記原稿のページ単位の画像データ各々、及び前記距離情報の受信を待ち受ける。
【００８６】
＜ステップＳ３２＞
ステップＳ３２において、制御部２１は、ステップＳ３１で受信したと判断された前記原稿のページ単位の画像データ各々に対して前記画像処理を実行する。ここで、ステップＳ３２の処理は、制御部２１の画像処理部２１２により実行される。なお、ステップＳ３２の処理は省略されてもよい。
【００８７】
＜ステップＳ３３＞
ステップＳ３３において、制御部２１は、ステップＳ３１で受信したと判断された前記原稿のページ単位の画像データ各々のいずれかで前記異常が検出されたか否かを判断する。ここで、ステップＳ３３の処理は、制御部２１の異常検出部２１３により実行される。なお、ステップＳ３３の処理は省略されてもよい。
【００８８】
例えば、制御部２１は、ステップＳ３１で受信したと判断された前記原稿のページ単位の画像データ各々に対して前記輪郭検出処理を実行する。そして、制御部２１は、前記輪郭検出処理の実行結果に基づいて前記原稿のページ単位の画像データに矩形状の領域が含まれていないと判断された場合に、前記第１異常を検出する。また、制御部２１は、前記輪郭検出処理を実行しても前記原稿のページ単位の画像データから前記原稿領域の輪郭が検出されない場合に、前記第２異常を検出する。
【００８９】
ここで、制御部２１は、前記原稿のページ単位の画像データ各々のいずれかで前記異常が検出されたと判断すると（Ｓ３３のＹｅｓ側）、処理をステップＳ３３１に移行させる。また、前記原稿のページ単位の画像データ各々のいずれかで前記異常が検出されていなければ（Ｓ３３のＮｏ側）、制御部２１は、処理をステップＳ３４に移行させる。
【００９０】
＜ステップＳ３３１＞
ステップＳ３３１において、制御部２１は、携帯端末１０に前記異常が検出された旨を報知させると共に、携帯端末１０に前記異常が検出された前記原稿のページ単位の画像データを表示させる。ここで、ステップＳ３３１の処理は、制御部２１の報知処理部２１４により実行される。
【００９１】
例えば、制御部２１は、検出された前記異常の種類を示す異常検出情報、前記異常が検出された前記原稿のページ単位の画像データ、並びに前記異常検出情報及び前記原稿のページ単位の画像データの操作表示部１２への表示を指示する制御信号を携帯端末１０に送信する。これにより、ユーザーは、前記異常が検出された前記原稿のページを認識して、前記異常が検出された前記原稿のページの画像の撮影をやり直すことが可能である。
【００９２】
なお、ステップＳ３３及びステップＳ３３１の処理は、携帯端末１０において実行されてもよい。即ち、携帯端末１０の制御部１１が、異常検出部２１３及び報知処理部２１４と同様の構成を含むものであってよい。例えば、前記第１取得処理のステップＳ１５の処理の後に、ステップＳ３３及びステップＳ３３１の処理が実行されてもよい。
【００９３】
＜ステップＳ３４＞
ステップＳ３４において、制御部２１は、ステップＳ３１で受信したと判断された前記原稿のページ単位の画像データ各々及び前記距離情報に基づいて、前記原稿のサイズを検出する。ここで、ステップＳ３４の処理は、制御部２１のサイズ検出部２１５により実行される。なお、ステップＳ３４の処理は省略されてもよい。
【００９４】
具体的に、制御部２１は、前記原稿のページ単位の画像データに含まれる前記原稿領域の面積及び前記距離情報に基づいて、前記原稿のサイズを検出する。
【００９５】
＜ステップＳ３５＞
ステップＳ３５において、制御部２１は、ステップＳ３１で受信したと判断された前記原稿のページ単位の画像データ各々に基づいて、前記原稿のページ単位の画像データ各々のページ順序を判定する。ここに、ステップＳ３５の処理が、本発明における判定ステップの一例であって、制御部２１の判定処理部２１６により実行される。
【００９６】
例えば、制御部２１は、前記原稿のページ単位の画像データ各々から検出されるページ番号に基づいて、前記原稿のページ単位の画像データ各々のページ順序を判定する。例えば、制御部２１は、前記原稿のページ単位の画像データ各々に対して前記文字認識処理を実行する。そして、制御部２１は、前記文字認識処理の実行結果に基づいて、前記原稿のページ単位の画像データ各々からページ番号を検出する。
【００９７】
＜ステップＳ３６＞
ステップＳ３６において、制御部２１は、ステップＳ３１で受信したと判断された前記原稿のページ単位の画像データ各々を、ステップＳ３５によって判定されたページ順序に従って出力する。ここに、ステップＳ３６の処理が、本発明における出力ステップの一例であって、制御部２１の出力処理部２１７により実行される。
【００９８】
例えば、制御部２１は、前記原稿のページ単位の画像データ各々を、ステップＳ３５によって判定されたページ順序に従って印刷する。ここで、制御部２１は、前記原稿のページ単位の画像データ各々を、ステップＳ３４によって検出された前記原稿のサイズと同じサイズのシートに印刷する。これにより、前記原稿のページ単位の画像データ各々を印刷するシートのサイズを設定するユーザーの手間が軽減される。
【００９９】
なお、制御部２１は、ステップＳ３１で受信したと判断された前記原稿のページ単位の画像データ各々がステップＳ３５によって判定されたページ順序に従って配置されたＰＤＦなどの前記文書データを生成して、生成された前記文書データを記憶部２６に格納してもよい。また、制御部２１は、前記文書データを生成して、生成された前記文書データを携帯端末１０などの外部の情報処理装置に送信してもよい。
【０１００】
このように、画像処理システム１００では、携帯端末１０によって取得される前記原稿のページ単位の画像データ各々のページ順序が判定される。これにより、画像処理システム１００では、携帯端末１０から前記原稿のページ単位の画像データ各々がページ順に従わずに送信される場合であっても、前記原稿のページ単位の画像データ各々をページ順に従って出力することが可能である。
【符号の説明】
【０１０１】
１０    携帯端末
１１    制御部
１２    操作表示部
１３    通信部
１４    撮像部
１５    距離センサー
１６    記憶部
２０    画像形成装置
２１    制御部
２２    画像形成部
２３    給紙部
２４    操作表示部
２５    通信部
２６    記憶部
１００  画像処理システム
１１１  第１取得処理部
１１２  抽出処理部
１１３  判断処理部
１１４  第２取得処理部
１１５  距離検出部
１１６  送信処理部
２１１  受信処理部
２１２  画像処理部
２１３  異常検出部
２１４  報知処理部
２１５  サイズ検出部
２１６  判定処理部
２１７  出力処理部
【図１】
2017199103.tif 000003
【図２】
2017199103.tif 000004
【図３】
2017199103.tif 000005
【図４】
2017199103.tif 000006
【図５】
2017199103.tif 000007